【手続補正書】
【提出日】平成16年11月9日(2004.11.9)
【手続補正１】
【補正対象書類名】特許請求の範囲
【補正対象項目名】全文
【補正方法】変更
【補正の内容】
【特許請求の範囲】
【請求項１】
コーティングパウダーであって、ヒドロキシル基を有する熱硬化性フルオロカーボンポリマーと、前記フルオロカーボンポリマーを硬化させるために充分な有効量のジイソシアネートと、前記ジイソシアネートと反応しない有効量の改質成分であって前記コーティングパウダーの基材上での後の熱硬化によって形成されるコーティングに良好な機械的特性を付与し得るカルボキシル官能性アクリルポリマー、カルボキシル官能性ポリエステルポリマー、グリシジルメタクリレート、ポリ無水物、グリシジル官能性アクリル化合物およびこれらの混合物からなる群より選択される構成員である改質成分と、前記改質成分の架橋を行わせるための有効量の剤を含む、コーティングパウダー。
【請求項２】
前記改質成分がカルボキシル官能性アクリルポリマーおよびカルボキシル官能性ポリエステルポリマーからなる群より選択される構成員であり、前記架橋剤がトリグリシジルイソシアヌレートを含む、請求項１に記載のコーティングパウダー。
【請求項３】
前記改質成分がグリシジルメタクリレートであり、前記架橋剤がジカルボン酸およびドデカン二酸からなる群より選択される構成員を含む、請求項１に記載のコーティングパウダー。
【請求項４】
前記改質成分が該コーティングパウダーの重量を基準として約５重量％〜約４０重量％の量で存在する、請求項１に記載のコーティングパウダー。
【請求項５】
前記コーティングパウダーの基材上での後の熱硬化によって形成されるコーティングに良好な耐腐食性を付与するための有効量の熱可塑性フルオロカーボンポリマーを更に含む請求項１に記載のコーティングパウダー。
【請求項６】
前記熱可塑性フルオロカーボンポリマーが該コーティングパウダーの重量を基準として約２５重量％〜約４０重量％の量で存在し、前記コーティングパウダーが基材に適用されたコーティングに形成される時に粗いコーティング外観を付与する、請求項５に記載のコーティングパウダー。
【請求項７】
基材上に適用されたコーティングパウダーから形成された良好な機械的特性を有する熱硬化されたコーティングであって、ジイソシアネートで硬化された熱硬化性フルオロカーボンポリマーと、前記ジイソシアネートと反応しない有効量の改質成分であってカルボキシル官能性アクリルポリマー、カルボキシル官能性ポリエステルポリマー、グリシジルメタクリレート、ポリ無水物、グリシジル官能性アクリル化合物およびこれらの混合物からなる群より選択される構成員である改質成分と、前記改質成分の架橋を行わせるための有効量の剤を含む、コーティング。
【請求項８】
前記改質成分がカルボキシル官能性アクリルポリマーおよびカルボキシル官能性ポリエステルポリマーからなる群より選択される構成員であり、前記架橋剤がトリグリシジルイソシアヌレートを含む、請求項７に記載のコーティング。
【請求項９】
前記改質成分がグリシジルメタクリレートであり、前記架橋剤がジカルボン酸およびドデカン二酸からなる群より選択される構成員を含む、請求項７に記載のコーティング。
【請求項１０】
前記改質成分が該コーティングパウダーの重量を基準として約５重量％〜約４０重量％の量で存在する、請求項７に記載のコーティング。
【請求項１１】
該コーティングパウダーの基材上での後の熱硬化により形成されるコーティングに良好な耐腐食性を付与するための熱可塑性フルオロカーボンポリマーを更に含む、請求項７に記載のコーティング。
【請求項１２】
前記コーティングが粗い表面を有し、前記熱可塑性フルオロカーボンポリマーが該コーティングパウダーの重量を基準として約２５重量％〜約４０重量％の量で存在する、請求項１１に記載のコーティング。
【請求項１３】
熱硬化性コーティングパウダーであって、主要量のヒドロキシル基および少量のカルボキシル基を有する熱硬化性フルオロカーボンポリマーと、前記ヒドロキシル基との反応により前記フルオロカーボンポリマーを硬化させるための有効量の第一硬化剤であるジイソシアネートと、基材上で後に形成されるコーティングに良好な可撓性を付与するために前記カルボキシル基との反応により前記フルオロカーボンポリマーを硬化させるための有効量の第二硬化剤を含む、コーティングパウダー。
【請求項１４】
前記第二硬化剤がトリグリシジルイソシアヌレートを含む、請求項１３に記載のコーティングパウダー。
【請求項１５】
該コーティングパウダーの基材上での後の熱硬化によって形成されるコーティングに良好な耐腐食性を付与するための熱可塑性フルオロカーボンポリマーを更に含む、請求項１３に記載のコーティングパウダー。
【請求項１６】
前記ジイソシアネートと反応しない改質成分であってカルボキシル官能性アクリルポリマー、カルボキシル官能性ポリエステルポリマー、グリシジルメタクリレート、ポリ無水物、グリシジル官能性アクリル化合物およびこれらの混合物から成る群より選択される構成員である改質成分と、前記改質成分の架橋を行わせるための有効量の剤を更に含む、請求項１３に記載のコーティングパウダー。
【請求項１７】
該コーティングパウダーの基材上での後の熱硬化によって形成されるコーティングに良好な耐腐食性を付与するための熱可塑性フルオロカーボンポリマーを更に含む、請求項１６に記載のコーティングパウダー。
【請求項１８】
基材上に適用されたコーティングパウダーから形成された良好な可撓性を有する熱硬化されたコーティングであって、第一硬化剤であるジイソシアネートと、前記コーティングに良好な可撓性を付与するための第二硬化剤とで硬化された熱硬化性フルオロカーボンポリマーを含む、コーティング。
【請求項１９】
前記第二硬化剤がトリグリシジルイソシアヌレートである、請求項１８に記載のコーティング。
【請求項２０】
前記コーティングパウダーの基材上での後の熱硬化により形成されるコーティングに良好な耐腐食性を付与するための熱可塑性フルオロカーボンポリマーを更に含む、請求項１８に記載のコーティング。
【請求項２１】
前記ジイソシアネートと反応しない改質成分であってカルボキシル官能性アクリルポリマー、カルボキシル官能性ポリエステルポリマー、グリシジルメタクリレート、ポリ無水物、グリシジル官能性アクリル化合物およびこれらの混合物から成る群より選択される構成員である改質成分と、前記改質成分の架橋を行わせるための有効量の剤を更に含む、請求項１８に記載のコーティング。
【請求項２２】
前記コーティングパウダーの基材上での後の熱硬化により形成されるコーティングに良好な耐腐食性を付与するための熱可塑性フルオロカーボンポリマーを更に含む、請求項２１に記載のコーティング。
【請求項２３】
コーティングパウダーであって、
主要量のヒドロキシル官能基および少量のカルボキシル官能基を有する熱硬化性フルオロカーボンポリマーと、
前記フルオロカーボンポリマーを硬化させるために充分な有効量のジイソシアネートと、
該コーティングパウダーの重量を基準として約５重量％〜約４０重量％の量の熱可塑性フルオロカーボンポリマーと、
該コーティングパウダーの重量を基準として約５重量％〜約４０重量％の量の、前記熱硬化性フルオロカーボンポリマーと反応しない改質成分であってカルボキシル官能性アクリルポリマー、カルボキシル官能性ポリエステルポリマー、グリシジルメタクリレート、ポリ無水物、グリシジル官能性アクリル化合物およびこれらの混合物から成る群より選択される構成員である改質成分と、
前記改質成分の架橋を行わせるために有効量の剤と、
前記熱硬化性フルオロカーボンポリマーのカルボキシル基と反応する有効量の第二硬化剤を含む、コーティングパウダー。
【請求項２４】
請求項２３に記載のコーティングパウダーにより形成された、基材上の硬化されたコーティング。
【請求項２５】
前記熱可塑性フルオロカーボンポリマーが該コーティングパウダーの重量を基準として約２５重量％〜約４０重量％の量で存在し、前記コーティングパウダーが基材に適用されたコーティングに形成される時に粗いコーティング外観を付与する、請求項１５に記載のコーティングパウダー。
【請求項２６】
前記コーティングが粗い表面を有し、前記熱可塑性フルオロカーボンポリマーが該コーティングパウダーの重量を基準として約２５重量％〜約４０重量％の量で存在する、請求項２４に記載のコーティング。